(57)【特許請求の範囲】
【請求項１】
装着部を備えたフレームと、
前記フレームの両側に結合された二つのサイドカバーと、
前記フレームの装着部に配置され、両サイドカバーに軸設されるスプールと、
釣り竿に装着するために前記フレームの底部に結合されるリールフットと、
前記フレームの上部に結合されるフードと、
前記スプールの回転のためにフレーム一側に軸設されるハンドルと、
スプールシャフトの回転速度を調節してキャスティング距離を調節するためにフレームの一側に配置されたテンションナットと、を含んでなる釣り用リールであって、
前記フードは結合部を含み、
前記結合部には交換式フードトップが結合されており、
前記フードは、サムレストの位置に備えられてスリップ防止体として機能する接触部を含み、
前記交換式フードトップは、前記接触部に対応するように、前記交換式フードトップに穿設された挿入部を備え、
前記交換式フードトップが前記フードを覆うとともにフードの上部に結合されることにより、前記接触部が前記挿入部に挿入されて露出される
ことを特徴とする、釣り用リール。
【請求項２】
前記交換式フードトップは結合状態でフードの上方に突出していることを特徴とする、請求項１に記載の釣り用リール。
【請求項３】
前記交換式フードトップはサムレストの位置に配置されたリンクを含み、締結孔を有する複数の挿入突起が下方に突設されており、
前記フードの結合部には挿入突起が挿入される挿入部が形成されていることを特徴とする、請求項１に記載の釣り用リール。
【請求項４】
前記交換式フードトップはリンクの反対側に配置された両ブランチを含み、
前記ブランチはフレームに結合されたクラッチレバーと重なる位置又はそれ以上まで伸びたテールを含み、
前記交換式フードトップはフランジに下方に突出したスカートを含むことを特徴とする、請求項３に記載の釣り用リール。
【発明の詳細な説明】
【技術分野】
【０００１】
本発明は、交換式フードトップを備えた釣り用リールに係る。より詳しくは、釣り中に地面などにリールの装着された釣り竿を載置する場合、摩擦又は衝撃によってリールが損傷する状況が発生し得るので、これを防止するために、リールフット（Ｒｅｅｌ  Ｆｏｏｔ）の反対側のフード（Ｈｏｏｄ）に交換式フードトップを配置することで、損傷しやすいフードの部位を取り替えやすくして使用年数を最大化し、さらにフードトップを特定の素材で製造して耐スクラッチ性の強化、緩衝特性の補強などの効果を図ることができ、使用者によって多様なフードトップを選択することができるようにして、いわゆるＤＩＹ機能を保障して購買力を高めた交換式フードトップを備えた釣り用リールに関する。
【背景技術】
【０００２】
本出願人は、韓国特許登録第１０−０３２０４０５号の釣り用二重ベアリング型リールのサイドカバー着脱構造によって、工具を使わなくても手で着脱することができ、部品の取替え又は操作などが容易に行えるようにした技術を提示した。また、韓国実用新案登録第２０−０４２６６０４号の釣り用二重ベアリング型リールのサイドカバー着脱装置によって、操作が簡便でありながらもサイドカバーの分離及び結合の動作を安定的に遂行することができるようにした釣り用二重ベアリング型リールのサイドカバー着脱装置を提示した。
【０００３】
その上、韓国特許登録第１０−１４１８０２９号のサイドカバー紛失防止用釣り用リールにおいては、磯又はその他の平坦でない地帯で釣りを行う場合にも、維持補修などのためにスプールを分離するなどの操作のためにサイドカバーを開放する場合、サイドカバーを容易に開閉することができるようにワンタッチ方式の取っ手を備えた釣り用リールについての技術を提示した。
さらに、韓国特許登録第１０−１４９２１９９号のサイドカバーの開閉が容易な釣り用リールにおいては、やはり磯などの極限の釣魚環境でスプールの取替えなどの作業中にリール本体と結合されたスプールカバー及びサイドカバーを含めたカバーアセンブリーを易しく解体又は分離することができるようにカバーアセンブリーの開閉作動を行うスプールカバーにワンタッチ方式の取っ手を備えた釣り用リールを提供したことがある。
【０００４】
本発明は本出願人の多様な釣り用リールに関連した改善の結果物で、釣り用リールの耐久性の向上、使用年数の増大、多様な外観の確保などの消費者のニーズ（Ｎｅｅｄｓ）を満たすことができるものである。
【０００５】
一方、釣りの際、一般的に使用者は人差し指、中指、薬指及び小指で釣り竿を包むとともに親指で釣り用リールのサムレスト（Ｔｈｕｍｂ  Ｒｅｓｔ）部位を押したままで使用する。このように、釣り竿を把持して使うとき、釣り竿を四つの指を用いる反面、釣り用リールは一つの指のみを用いるから、相対的に釣り用リールを強く握ることが不便であり、使用中に親指が釣り用リールで滑る状況が発生しやすい問題点がある。それで、近年の釣り用リールは、リール本体のサムレスト部位で親指がスリップ（ｓｌｉｐ）して釣り用リールを逃すことを防止するためのすべり防止手段を備えた形で販売されている。すべり防止手段の最も一般的な方式は、フレームのサムレスト部位を親指と対応する形態に製作する方式である。
【０００６】
しかし、使用者別に指の長さ又は大きさが違うだけでなく、釣り竿を把持するときの手の角度なども違うため、このようにサムレスト部位を親指で固定する方式は相対的に釣り用リールを把持することが不便であり、すべりが発生しやすい。
すべり防止手段の他の方式は、フレームのサムレスト部位に凹凸を形成する方式があるが、このような凹凸も前記のような使用者の個人差によってすべり防止効果を期待することができない。
【０００７】
したがって、前記のような問題点を解決するために、フレームのサムレスト部位及び親指が接触する部位にわたってすべり防止用パッドを付着する方法がある。このようなすべり防止用パッドはフレームの表面に接着剤を介して結合されるので、水に弱い接着剤の特性のため、すべり防止用パッドが容易に取れるだけでなく、釣り用リールを強く把持するとき、親指によってすべり防止用パッドそのものがスリップしながら分離される問題がある。
【０００８】
そして、近年最も多く使われるすべり防止手段として、製品のモデル又は会社名が浮き彫り方式で突出したネームプレートをフレームにさらに結合する方法がある。しかし、フレームの構造上、ボルト結合などができないので殆どが接着剤で接着される形態であるため、すべり防止用パッドと同様な問題点があり、凹凸構造のネームプレートの場合、凹部に異物が付くため、管理が不便であり、外観が良くない欠点がある。
【先行技術文献】
【特許文献】
【０００９】
【特許文献１】韓国特許登録第１０−０３２０４０５号公報
【特許文献２】韓国実用新案登録第２０−０４２６６０４号公報
【特許文献３】韓国特許登録第１０−１４１８０２９号公報
【特許文献４】韓国特許登録第１０−１４９２１９９号公報
【発明の概要】
【発明が解決しようとする課題】
【００１０】
以上説明したように、釣り中に地面などにリールの装着された釣り竿を載置する場合、摩擦や衝撃などによってリールが損傷する状況が常時発生し得る。本発明は、これを防止するために、リールフットの反対側フード（Ｈｏｏｄ）に交換式フードトップを配置することで、フードの損傷しやすい部位を取り替えやすくして使用年数を最大化し、さらにフードトップを特定の素材で製造することによって耐スクラッチ性の強化、緩衝特性の補強などの効果を図り、使用者によって多様なフードトップを選択することができるようにして、いわゆるＤＩＹ機能を保障して購買力を高めた交換式フードトップを備えた釣り用リールを提供することをその目的とする。
【００１１】
また、本発明は、フードの結合部に装着された交換式フードトップがフードの上方に突出して、耐スクラッチ性、耐久性、リール保護効果、耐久性の向上などの効果を極大化した釣り用リールを提供することを他の目的とする。
【００１２】
その上、本発明は、交換式フードトップがサムレストの位置に配置されたリンクを有し、締結孔を有する複数の挿入突起が下方に突設されて、組立性及び取替え便利性を確保するようにした釣り用リールを提供することをさらに他の目的とする。
【００１３】
また、本発明は、交換式フードトップが、リンクの反対側に配置された両ブランチ（ｂｒａｎｃｈ）が伸び、クラッチレバーと重なる位置又はそれ以上まで伸びたテール（ｔａｉｌ）とともにフランジに下方に突出したスカート（ｓｋｉｒｔ）を有することにより、できるだけ大きな部位を取り囲んでリールの外形保護性能を高め、堅固な組立状態まで確保することができるようにした釣り用リールを提供することをさらに他の目的とする。
【００１４】
また、本発明は、すべり防止のためのネームプレート及び／又はすべり防止用パッドを接着せず、別途のスリップ防止体をフード又はフードトップで固定するとともに、このようなスリップ防止体を固定式ではない交換式で形成することにより、すべり防止に関連した元の機能に加え、釣り用リールの耐久性向上、使用年数保障及び外観デザインの多様性確保などの消費者のニーズ（Ｎｅｅｄｓ）を満たすことができる釣り用リールを提供することをさらに他の目的とする。
【課題を解決するための手段】
【００１５】
前記のような目的を達成するために、本発明による交換式フードトップを備えた釣り用リールは、
装着部を備えたフレームと、
前記フレームの両側に結合された二つのサイドカバーと、
前記フレームの装着部に配置され、両サイドカバーに軸設されるスプールと、
釣り竿に装着するために前記フレームの底部に結合されるリールフットと、
前記フレームの上部に結合されるフードと、
前記スプールの回転のためにフレーム一側に軸設されるハンドルと、
スプールシャフトの回転速度を調節してキャスティング距離を調節するためにフレームの一側に配置されたテンションナットと、を含んでなる釣り用リールであって、
前記フードは結合部を含み、
前記結合部には交換式フードトップが結合されていることを特徴とする。
【００１６】
本発明による交換式フードトップを備えた釣り用リールにおいて、
前記交換式フードトップは結合状態でフードの上方に突出しており、
前記交換式フードトップはサムレストの位置に配置されたリンクを含み、締結孔を有する複数の挿入突起が下方に突設されており、前記フードの結合部には挿入突起が挿入される挿入部が形成されており、
前記フードトップはリンクの反対側に配置された両ブランチを含み、前記ブランチはフレームに結合されたクラッチレバーと重なる位置又はそれ以上まで伸びたテールを含み、前記フードトップはフランジに下方に突出したスカートを含むことができる。
【００１７】
また、本発明による交換式フードトップを備えた釣り用リールは、
サムレストの位置に備えられる接触部を有するスリップ防止体をさらに含み、前記フードは、前記接触部に対応するように、フードに穿設された挿入部を備え、前記フードが前記スリップ防止体を覆うとともに前記フレームの上部に結合されることにより、前記接触部が前記挿入部に挿入されて露出されることができる。
【００１８】
また、本発明による交換式フードトップを備えた釣り用リールは、
前記フードの上部に結合されるフードトップをさらに含み、前記フードは、サムレストの位置に備えられてスリップ防止体として機能する接触部を含み、前記フードトップは、前記接触部に対応するように、フードトップに穿設された挿入部を備え、前記フードトップが前記フードを覆うとともにフードの上部に結合されることにより、前記接触部が前記挿入部に挿入されて露出されることができる。
【００１９】
また、本発明による交換式フードトップを備えた釣り用リールは、
サムレストの位置に備えられる接触部を有するスリップ防止体をさらに含み、前記フードは、前記接触部に対応するように、前記フードに穿設された挿入部を備え、前記フードが前記スリップ防止体を覆うとともにスリップ防止体の上部に結合されることにより、前記接触部が前記挿入部に挿入されて露出されることができる。
【発明の効果】
【００２０】
釣り中に地面などにリールの装着された釣り竿を載置する場合、摩擦又は衝撃によってリールが損傷する状況が常時に発生し得るが、本発明による交換式フードトップを備えた釣り用リールは、これを防止するために、リールフットの反対側のフード（Ｈｏｏｄ）に交換式フードトップを配置することで、フードの損傷しやすい部位を取り替えやすくして使用年数を最大化し、さらにフードトップを特定の素材で製造して、耐スクラッチ性強化、緩衝特性補強などの効果を図り、使用者によって多様なフードトップを選択することができるようにして、いわゆるＤＩＹ機能を保障して購買力を高めることができ、またフードの結合部に装着された交換式フードトップはフードの上方に突出して、耐スクラッチ性、耐久性、リール保護効果、耐久性の向上などの効果を極大化する。また、本発明は、交換式フードトップがサムレストの位置に配置されたリンクを有し、締結孔を有する複数の挿入突起が下方に突設されて、組立性及び取替え便利性を確保することができ、さらに交換式フードトップがリンクの反対側に配置された両ブランチ（ｂｒａｎｃｈ）が伸びてクラッチレバーと重なる位置又はそれ以上まで伸びたテール（ｔａｉｌ）とともにそのフランジに下方に突出したスカート（ｓｋｉｒｔ）を有することにより、できるだけ大きな部位を取り囲んでリールの外形保護性能を高めるようにし、堅固な組立状態まで確保することができる。
【００２１】
また、本発明による釣り用リールは、使用中にすべり防止のためのスリップ防止体の接触部が、フレーム保護のためのフード又はフードトップによってフレームに固定結合されることにより、使用者の指の長さ又は形態、釣り竿の把持角度などの使用者の個人差にかかわらず、釣り用リールのグリップ感の向上、特に親指で掴む釣り用リールのサムレスト部位ですべりが発生することを防止し、釣り中に地面などに釣り用リールの装着された釣り竿を載置する場合、摩擦又は衝撃によって釣り用リールが損傷することを１次的に防止することができる効果がある。
【図面の簡単な説明】
【００２２】
【図１】本発明の釣り用リールの斜視図である。
【図２】本発明の釣り用リールの一側面図である。
【図３】本発明の釣り用リールの斜視図である。
【図４】本発明の釣り用リールの平面図である。
【図５】本発明の釣り用リールの他の側面図である。
【図６】本発明の釣り用リールの正面図である。
【図７】本発明の釣り用リールの分解斜視図である。
【図８】本発明の釣り用リールの第１実施例を示す平面図である。
【図９】本発明の釣り用リールの第１実施例を示す平面図である。
【図１０】本発明の釣り用リールの第１実施例を示す平面図である。
【図１１】本発明の釣り用リールの第２実施例を示す平面図である。
【図１２】本発明の釣り用リールの第３実施例を示す平面図である。
【図１３】本発明の釣り用リールの第３実施例を示す平面図である。
【発明を実施するための形態】
【００２３】
本発明は多様な変更を加えることができ、いろいろの形態を有することができる。以下、具現例（態様、ａｓｐｅｃｔ）（又は実施例）を詳細に説明する。しかし、これは本発明を特定の開示形態に限定しようとするものではなく、本発明の思想及び技術範囲に含まれるすべての変更、均等物ないし代替物を含むものに理解しなければならない。
各図において同一の参照符号、特に十の桁及び一の桁、又は十の桁、一の桁及びアルファベットが同じ参照符号は同一又は類似の機能を有する部材を示し、特に言及がない場合、図面の各参照符号が指称する部材はこのような基準に準ずる部材に把握すれば良い。
【００２４】
また、各図において、構成要素は理解の便宜上大きさや厚さを誇張して大きく（又は厚く）あるいは小さく（又は薄く）表現するとか単純化して表現しているが、これによって本発明の保護範囲が制限されて解釈されてはいけない。
本明細書で使用した用語はただ特定の具現例（態様、ａｓｐｅｃｔ）（又は実施例）を説明するために使用されたもので、本発明を限定しようとする意図ではない。単数の表現は文脈上特に明記しない限り、複数の表現を含む。
本出願において、「含む」又は「なる」などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解されなければならない。
【００２５】
特に定義がない限り、技術的ないし科学的な用語を含み、ここで使われるすべての用語は本発明が属する技術分野で通常の知識を有する者によって一般的に理解されるものと同一の意味を持っている。一般的に使われる辞書に定義されているもののような用語は関連技術が文脈上有する意味と一致する意味を有するものに解釈されなければならず、本出願において明らかに定義しない限り、理想的なあるいは過度に形式的な意味に解釈されない。
【００２６】
本明細書で記述する〜第１〜、〜第２〜などは互いに異なる構成要素を区分するためのものであるだけ、製造手順を限定するものではなく、発明の詳細な説明及び請求範囲でその名称が一致しないこともあり得る。
本発明によるスリップ防止体を備えた釣り用リールの説明において、便宜上の理由で厳密ではない概略の方向基準を、図１を参照して特定すれば、レベルワインダーＷが備えられた方向を正面とし、正面から見る方向を基準に、重力が作用する方向を下側として、上下左右を決定し、他の図に基づく発明の詳細な説明及び請求範囲でも、他に特別な言及がない限り、この基準に従って方向を特定して記述する。
【００２７】
以下では本発明による釣り用リールを添付図面に基づいて説明する。
図１〜図７は各実施例に共通に適用される構成を説明するための図（容易な理解のために、図３〜図７ではハンドルＨ、スプールＳ、テンションナットＮｔ、スタードラッグナットＮｄ、クラッチレバーＬ、スリップ防止体２０などを省略する）であり、交換式フードトップを中心とした図である。
図８〜図１３は、交換式フードトップの他にさらにフードにスリップ防止体を備えた形態についての図であって、図８〜図１０は本発明の第１実施例を示す図、図１１は本発明の第２実施例を示す図、図１２及び図１３は本発明の第３実施例を示す図である。
図１〜図７に基づき、第１実施例〜第３実施例に共通に適用されるフード１０及びフードトップ１０Ｔの特徴及び詳細構造を説明し、図８〜図１３に基づき、各実施例のスリップ防止体２０の特徴を説明する。
【００２８】
図面に示したように、本発明によるスリップ防止体を備えた釣り用リールは、大別して、装着部Ｆｍを備えたフレームＦ；前記フレームＦの両側に結合される二つのサイドカバーＦ１、Ｆ２；前記フレームＦの装着部Ｆｍに配置され、二つのサイドカバーＦ１、Ｆ２に軸設されるスプールＳ；釣り竿に装着するために前記フレームＦの底部に結合されるリールフットＦ３；前記スプールＳの回転のためにフレームＦの一側に軸設されるハンドルＨ；スプールシャフトＨＳの回転速度を制御してキャスティング距離を調節するようにフレームＦの一側に配置されたテンションナットＮｔ；及び使用者のすべり防止のための接触部２１ａ、２２ａ、２３ａを備えたスリップ防止体２０；を含む。
【００２９】
具体的には、図１〜図７に示したように、前記フレームＦは両側に結合された二つのサイドカバー、つまり第１サイドカバーＦ１、（Ｌｅｆｔ  Ｃｏｖｅｒ又はＰａｌｍ  Ｓｉｄｅ  Ｃｏｖｅｒ）及び第２サイドカバーＦ２、（Ｒｉｇｈｔ  Ｃｏｖｅｒ又はＧｅａｒ  Ｓｉｄｅ  Ｃｏｖｅｒ）を有し、前記スプールＳは前記フレームの装着部Ｆｍに配置されるとともに二つのサイドカバーＦ１、Ｆ２に軸設される。
さらに、魚が釣り針を噛んで逃げる場合、釣り糸がスプールから解ける速度を制御して釣り糸を保護するドラッグパワー調節用のスタードラッグナットＮｄがスプールシャフトＨＳに備えられている。
【００３０】
釣り用リールＲ、特にベイトリールの場合、図１、図２の右側の点線ブロック及び図３から確認できるように、ハンドルＨは、ハンドルシャフトＨＳ、ハンドルアームｈａ、ハンドルノブ（ｋｎｏｂ）ｈｎ及びハンドルナットＨＮを含んでなる。ハンドルシャフトＨＳはスプールＳと連動し、端部に雄ネジ部を有する。
【００３１】
前記ハンドルアームｈａは、ハンドルシャフトのフラット部によって空回り防止用の非円形構造を有する雄ネジ部に嵌合される結合孔ｈｈを有し（図２参照）、ハンドルナットＨＮはハンドルシャフトの雄ネジ部に結合されてハンドルアームｈａを固定する。ハンドルノブｈｎはハンドルアームｈａの端部、特に両端部に備えられている。
また、釣り竿に装着するために前記フレームＦの底部に結合されるリールフットＦ３が備えられており、前記フレームＦの上部にはフード（Ｈｏｏｄ）１０が結合されている。
【００３２】
また、本発明による釣り用リールＲは、スプールＳに釣り糸が均等に巻き付けられるようにするレベルワインダーＷが前方に備えられている（図１参照）。
また、キャスティング時にはスプールの回転を拘束しないが、釣り糸を巻き付けるためにハンドルを回転させる時にのみスプールの回転を拘束して、釣り糸の巻取方向にのみスプールが回転するようにスプールＳの回転を制御するクラッチレバーＬがレベルワインダーＷの反対側である後方に備えられている。
【００３３】
そして、本発明による釣り用リールの他の核心事項は、リール本体Ｒの保護のために、第２実施例のように、フレームＦの上部に結合されるフード１０に交換式フードトップ１０Ｔを導入した点である。
【００３４】
通常釣り中に地面や岩などにリールの装着された釣り竿を載置するときに釣り竿が地面などに接触する場合、相対的に重いギアサイドカバーＦ２、ハンドルＨ、スタードラッグナットＮｄが接触することになり、この部位が損傷しやすい。
反対に、リールＲを地面などに接触する形で載置する場合は、フレームＦ自体、あるいは両サイドカバーＦ１、Ｆ２、ハンドルＨ、スタードラッグナットＮｄが接触して損傷しやすい。後者の場合、フレームＦの上部にフード１０が備えられていれば、相対的にフレームＦ又は両サイドカバーＦ１、Ｆ２の損傷を防止することができる。
【００３５】
それにもかかわらず、通常一体型フードはレベルワインダーＷを取り囲む形態（これを別にフロントカバー（Ｆｒｏｎｔ  Ｃｏｖｅｒ）とも称する）であるため、部品自体が大きくなり、さらにレベルワインダーＷの上部のサムレストは使用者の親指が接触して力が加わる部位であるため、強度保障のために厚く製作することが一般的である。よって、一体型フードは主に強度特性を保障するため、相対的に耐スクラッチ性又は緩衝特性の確保及び調和が難しく、それによって消費者の購買力を高める多様なデザインを保障することができないことが現実である。
【００３６】
したがって、本発明は、フード１０が結合部１０Ａ（図７参照）を有し、この結合部に交換式フードトップ１０Ｔを導入した。このような交換式フードトップ１０Ｔにより、リールフットの反対側のフード（Ｈｏｏｄ）に交換式フードトップを配置して、損傷しやすい部位を取り替えやすくして使用年数を最大化し、さらにフードトップを特定の素材で製造して耐スクラッチ性強化、緩衝特性補強などの効果を図り、使用者によって多様なフードトップを選択することができるようにして、いわゆるＤＩＹ（Ｄｏ  Ｉｔ  Ｙｏｕｒｓｅｌｆ）（又はチューニング）機能を保障して購買力を高めることができるようになる。
【００３７】
また、このような交換式フードトップの導入により、サムレストは依然として高強度素材を採択しながらもフードの保護特性、多様なデザインを確保することができるようになる。
【００３８】
次に、本発明による釣り用リールＲは、図５及び図６から確認できるように、フード１０の上方（及びフレームＦの上方）にもっと突出してフレーム及びサイドカバー保護特性が向上するように構成されることが好ましい。
そして、本発明の交換式フードトップ１０Ｔはサムレストの位置に配置されたリンク部（ｌｉｎｋ）１１を有し、このリンク部１１の反対側に配置された両ブランチ（ｂｒａｎｃｈ）１３を有する。
特に、前記ブランチ１３はフレームＦに結合されたクラッチレバーＬと重なる位置又はそれ以上まで伸びたテール（ｔａｉｌ）１３ａを有することにより、できるだけフレームＦが地面などと接触しないようにしてフレームなどの損傷可能性を極小化するように構成されることが好ましい。
【００３９】
その上、交換式フードトップ１０Ｔは、図７の上部の二つの一点鎖線円内で確認できるように、フランジに下方に突出したスカート１５を有することにより、フレーム又はフードの保護特性を強化し、外観上の美麗さなどを確保してフードトップのデザイン特性を強化し、結合状態でフード又はフレームの間に公差が発生しないようにして、隙間に異物などが流入しないようにする機能をするように構成されることが好ましい。
図７に示したスカート１５は、特にスプールＳのためのフレームの装着部Ｆｍ（図１参照）側でもっと大きく下方に突出した形状を有する。
【００４０】
一方、本発明の交換式フードトップ１０Ｔは、組立性及び取替え容易性を確保するために、図７から確認できるように、締結孔１７ｈを有する複数の挿入突起１７が下方に突設されており、前記フード１０の結合部１０Ａには挿入突起１７が挿入される挿入部が形成され、この挿入部には対応締結孔１０ｈが形成されているので、ボルト締結ができるように構成されている。
特に、前記挿入突起はフードトップ１０Ｔのリンク部１１側に偏った位置に二つ、かつブランチ１３のテール１３ａ側に偏った位置に二つ形成されることにより、堅固な結合状態を保障するように構成されている。
【００４１】
次に、図８〜図１３に基づいて、交換式フードトップの他にさらにフードにスリップ防止体を備えた形態の各実施例の特徴を説明する。
図８〜図１３に示したスリップ防止体２０（図１１のフード１０）は、使用者のすべり防止のために、リール本体Ｒの表面、特に親指が接触するサムレスト部位に高低差を有するようにリール本体Ｒの表面に突出して露出される接触部２１ａ、２２ａ、２３ａを有するものである。
【００４２】
図８〜図１０に示した第１実施例は、接触部２１ａを備えたスリップ防止体２１がフレームＦの上部に結合されるフード１０によって保護及び固定される別途固定型である。
図１１に示した第２実施例は、スリップ防止体２２として機能する接触部２２ａが連結されたフード１０がフード１０の上部に結合されるフードトップ１０Ｔによって保護及び固定されるフード一体型である。
図１２及び図１３に示した第３実施例は、前記第２実施例のフード一体型の接触部２２ａと同一構造の接触部２３ａを有するスリップ防止体２３がスリップ防止体２３の上部に結合されるフード１０によって保護及び固定される全体固定型という点で相違点がある。
【００４３】
まず、図８〜図１０に示した第１実施例のスリップ防止体２１はサムレストの位置に備えられる第１接触部２１ａを有するものである。
前記フード１０は、前記第１接触部２１ａに対応するように、フード１０に穿設された第１挿入部１９Ａを備える。
前記フード１０が前記スリップ防止体２０を覆うとともに前記フレームＦの上部に結合されることにより、前記第１接触部２１ａが前記第１挿入部１９Ａに挿入されて露出される。
【００４４】
このようなスリップ防止体２１は、相対的に面積が小さい第１接触部２１ａと相対的に面積が大きい支持部２１ｂからなる断面が凸字形又は凸が並列した形の部材であり、第１接触部２１ａが前記フード１０の第１挿入部１９Ａを貫いてリール本体Ｒの表面より突出してリール本体Ｒの表面に高低差を有する凹凸構造を形成することにより、使用中に釣り用リールが滑ることを防止する。前記スリップ防止体２１はゴムやシリコンその他相対的に摩擦力の高いＰＶＣ素材で製作される。
【００４５】
図８は左右方向に所定間隔で隔たった複数の円形の第１接触部２１ａが一つの支持部２１ｂに備えられている形態である。
図９は前後方向に所定間隔で隔たった複数の略一字形の第１接触部２１ａが一つの支持部２１ｂに備えられている形態である。
図１０は左右方向に所定の左右長及び前後幅を有する一つの第１接触部２１ａが一つの支持部２１ｂに備えられている形態である。
【００４６】
このようなスリップ防止体２１は、フード１０のリンク部１１だけでなくリンク部１１の反対側に配置された両ブランチ１３のいずれか一方（右利き用の釣り用リールの場合は左側のブランチ１３）又は両方に備えられることができる（図１１参照）。
前記スリップ防止体２１の固定のために、前記フード１０の第１挿入部１９Ａは前記スリップ防止体２１のそれぞれの第１接触部２１ａの形態に相応する挿入孔１９ａが上下に穿設され、フード１０の背面には前記支持部２１ｂが挿入される挿入凹部１９ｂが凹設される。したがって、フード１０をフレームＦの結合部に結合したとき、フレームＦとフード１０の間にスリップ防止体２１の支持部２１ｂが挟まれることによってスリップ防止体２１が固定される。
【００４７】
次に、図１１に示した第２実施例のスリップ防止体２２は、第１実施例とは違い、サムレストの位置に備えられてスリップ防止体２２として機能する第２接触部２２ａがフード１０の表面に突設されているフード一体型のもので、前記フード１０の上部に結合されるフードトップ１０Ｔをさらに含み、前記フードトップ１０Ｔは、前記第２接触部２２ａに対応するように、フードトップ１０Ｔに穿設された第２挿入部１９Ｂを備え、前記フードトップ１０Ｔが前記フード１０を覆うとともにフード１０の上部に結合されることにより、前記第２接触部２２ａが前記第２挿入部１９Ｂに挿入されて露出される。
【００４８】
このような第２実施例は、第２接触部２２ａとリール本体Ｒの表面の間に高低差を有する凹凸構造によってすべりが防止されるという点で、第１実施例と本質が類似しているが、第２接触部２２ａがフード一体型に形成されるので、フードトップ１０Ｔの第２挿入部１９Ｂは第２接触部２２ａが挿入される挿入孔の構造のみを備え、フードトップ１０Ｔがフード１０の上部に結合される二重フードの構造を有するという点で相違点がある。
第２実施例も、第１実施例と同様に、第２接触部２２ａの個数又は形状、配置形態などに制限がない。
図１１では、図１０の第１接触部２１ａと類似した形態の第２接触部２２ａがフードトップ１０Ｔのリンク部１１及び両ブランチ１３の両方に備えられて露出される形態を確認することができる。
【００４９】
次に、図１２及び図１３に示した第３実施例のスリップ防止体２３は第２実施例のフード１０の第２接触部２２ａと類似した構造に突設された第３接触部２３ａを有し、フード１０が前記スリップ防止体２３の上部に結合され、前記フード１０は、前記第３接触部２３ａに対応するように、フード１０に穿設された挿入部１９Ｃを備え、前記フード１０が前記スリップ防止体２３を覆うとともにスリップ防止体２３の上部に結合されることにより、前記第３接触部２３ａが前記挿入部１９Ｃに挿入されて露出される。
【００５０】
すなわち、第２実施例において第２接触部２２ａを備えたフード１０及びフードトップ１０Ｔはそれぞれ、第３実施例において第３接触部２３ａを備えたスリップ防止体２３及びフード１０と同一の構造に形成されて結合され、第３接触部２３ａとリール本体Ｒの表面の間に高低差を有する凹凸構造によってすべりを防止するという点でその本質が類似しているが、第２実施例のフード１０及びフードトップ１０Ｔが同じ素材で製作される反面、第３実施例のスリップ防止体２３はフード１０とは違う素材、つまりゴム又はシリコン、又は相対的に摩擦力の高いＰＶＣ素材で製作されるという点で相違点がある。
第３実施例も他の実施例と同様に、第３接触部２３ａの個数又は形状、配置形態などに制限がない。
【００５１】
図１２では図８の第１接触部２１ａと類似した形態の第３接触部２３ａがフード１０のリンク部１１に備えられて露出される形態を確認することができ、図１３では図１２とは違う形状の第３接触部２３ａがフード１０のリンク部１１に備えられて露出される形態を確認することができる。
このような構造になった第１実施例〜第３実施例を有する本発明の釣り用リールは、前記接触部２１ａ、２２ａ、２３ａがリール本体Ｒの表面（つまり、第１及び第３実施例ではフード１０の表面、第２実施例ではフードトップ１０Ｔの表面）より突出してリール本体Ｒの表面に高低差を有する凹凸構造を形成することにより、使用中に釣り用リールが滑ることを防止する。
【００５２】
特に、図面に示した第１実施例〜第３実施例のように、本発明は接触部２１ａ、２２ａ、２３ａが特定の位置に固定されるかフレームＦの上部に接着されることがなく、ネームプレートを使わないので、指の長さ又は大きさが違うか、釣り竿を把持するときに手の角度などが違う使用者の個人差にかかわらず、誰でも釣り用リールをすべりなしで把持して使うことができる。
【００５３】
また、フード１０及び／又はフードトップ１０Ｔを分離して、スリップ防止体２０又は接触部２２ａを有するフード１０を取り替えて使うことができるので、損傷が発生しやすい部位を容易に取り替えることができ、多様な形態のスリップ防止体、フード及びフードトップを選択することができるので、いわゆるＤＩＹ機能を保障して、釣り用リールの耐久性向上、使用年数保障、多様な外観デザインの確保などの消費者のニーズ（Ｎｅｅｄｓ）を満たすことができる。
【００５４】
以上の本発明の説明において添付図面に基づいて特定の形状及び構造を有する釣り用リールを主として説明したが、本発明は当業者によって多様な修正、変更及び置換が可能であり、このような修正、変更及び置換は本発明の保護範囲に属するものに解釈されなければならない。
【符号の説明】
【００５５】
Ｒ        釣り用リール
Ｆ        フレーム
Ｎｄ      スタードラッグナット
Ｎｔ      テンションナット
Ｓ        スプール
Ｈ        ハンドル
ＨＳ      ハンドルシャフト
ｈａ      ハンドルアーム
Ｆ１、Ｆ２    サイドカバー
Ｆ３      リールフット
Ｌ        クラッチレバー
１０      フード
１０Ａ    結合部
１０ｅ    露出部
１０Ｔ    フードトップ
１１      リンク
１３      ブランチ
１５      スカート
１７      挿入突起
１９Ａ、１９Ｂ、１９Ｃ    挿入部
２０、２１、２２、２３    スリップ防止体
２１ａ、２２ａ、２２ｃ    接触部
２１ｂ    支持部
【図１】
0006587649.tif 000002
【図２】
0006587649.tif 000003
【図３】
0006587649.tif 000004
【図４】
0006587649.tif 000005
【図５】
0006587649.tif 000006
【図６】
0006587649.tif 000007
【図７】
0006587649.tif 000008
【図８】
0006587649.tif 000009
【図９】
0006587649.tif 000010
【図１０】
0006587649.tif 000011
【図１１】
0006587649.tif 000012
【図１２】
0006587649.tif 000013
【図１３】
0006587649.tif 000014